(57)【要約】  【目的】  画像データを変換しても著作権情報が消失しないようにする。  【構成】  画像ファイルに含まれている画像データと著作権情報とが分離される（ステップ31）。分離された著作権情報が，画像ファイルの送信先の携帯電話が認識できるように変換される（ステップ32）。また，送信先の携帯電話が表示できるように，画像データのデータ量が調整され，かつフォーマットが変換される（ステップ33）。変換された著作権情報および画像データが画像ファイルに格納され（ステップ34），携帯電話に送信される。画像ファイルを受信した携帯電話は，著作権情報を認識できるので，画像データの再配布を管理できるようになる。  【選択図】  図７
2006067146.tif 000002
【特許請求の範囲】
【請求項１】
携帯型端末装置から送信された携帯型端末装置の機種情報および画像データ・リクエストを受信する受信手段，
画像データとその画像データの著作権情報とが格納されている画像ファイルが多数記憶されている画像ファイル・データベースの中から，上記受信手段によって受信した画像データ・リクエストに対応する画像データが格納されている画像ファイルを見つける画像ファイル検索手段，
上記受信手段によって受信した機種情報に応じたデータ量となるように，上記画像ファイル検索手段によって見つけられた画像ファイルに格納されている画像データのデータ量を調整する画像データ調整手段，
上記受信手段によって受信した機種情報にもとづく著作権情報となるように著作権情報を変換する著作権情報変換手段，ならびに
上記画像データ量調整手段によってデータ量が調整された画像データおよび上記著作権情報変換手段によって変換された著作権情報を，上記携帯型端末装置に送信する送信手段，
を備えた画像配信サーバ。
【請求項２】
上記画像ファイル・データベースが，上記画像配信サーバと別個に設けられているものである，請求項１に記載の画像配信サーバ。
【請求項３】
携帯型端末装置から送信され，画像データとその画像データの著作権情報とが格納されている画像ファイルが添付された電子メールを受信する受信手段，
上記電子メールの送信先の携帯型端末装置に応じたデータ量となるように，上記画像データのデータ量を調整する画像データ調整手段，
上記電子メールの送信先の携帯電話にもとづく著作権情報となるように，上記著作権情報を変換する著作権情報変換手段，および
上記画像データ調整手段によってデータ量が調整された画像データと上記著作権情報変換手段によって変換された著作権情報とを格納した画像ファイルが添付された電子メールを，上記送信先の携帯型端末装置に送信する送信手段，
を備えた画像添付メール中継サーバ。
【請求項４】
上記画像データが動画を表す画像データである，請求項３に記載の画像添付メール中継サーバ。
【請求項５】
携帯型端末装置から送信された携帯型端末装置の機種情報および画像データ・リクエストを受信し，
画像データとその画像データの著作権情報とが格納されている画像ファイルが多数記憶されている画像ファイル・データベースの中から，上記受信手段によって受信した画像データ・リクエストに対応する画像データが格納されている画像ファイルを見つけ，
受信した機種情報に応じたデータ量となるように，見つけられた画像ファイルに格納されている画像データのデータ量を調整し，
受信した機種情報にもとづく著作権情報となるように著作権情報を変換し，
データ量が調整された画像データおよび変換された著作権情報を，上記携帯型端末装置に送信する，
画像配信サーバの動作制御方法。
【請求項６】
携帯型端末装置から送信され，画像データとその画像データの著作権情報とが格納されている画像ファイルが添付された電子メールを受信し，
上記電子メールの送信先の携帯型端末装置に応じたデータ量となるように，上記画像データのデータ量を調整し，
上記電子メールの送信先の携帯電話にもとづく著作権情報となるように，上記著作権情報を変換し，
データ量が調整された画像データと上記著作権情報変換手段によって変換された著作権情報とを格納した画像ファイルが添付された電子メールを，上記送信先の携帯型端末装置に送信する，
画像添付メール中継サーバの動作制御方法。
【発明の詳細な説明】
【技術分野】
【０００１】
この発明は，画像配信サーバおよび画像添付メール中継サーバならびにそれらの動作制御方法に関する。
【背景技術】
【０００２】
携帯電話によっては，画像データを送受信することにより，受信した画像データによって表される画像を表示することができる。ところが，表示できる画像の画素数などは携帯電話の機種に依存する。このために，携帯電話の機種に応じて画像データのデータ量を調整するものがある（特許文献１）。
【特許文献１】特開2004−56662号公報
【０００３】
また，画像データは，その複製が極めて容易であることから著作権を管理して配布を制限することも考えられている。たとえば，画像ファイルとは別の著作者情報ファイルを用いて著作権の管理を行うもの（特許文献２），パスワードを用いて画像を管理するもの（特許文献３），画像データに再配布制限識別子を含ませるもの（特許文献４）などがある。
【特許文献２】特開平６−96133号公報
【特許文献３】特開平11−136486号公報
【特許文献４】特開2002−223476号公報
【０００４】
しかしながら，画像ファイルとは別の著作者情報ファイルを用いるものやパスワードを用いるものでは著作権管理が比較的面倒となってしまう。また，画像データに再配布制限識別子を含ませる場合には，携帯電話機種に応じて画像データのデータ量の調整等が行われた場合などには著作権情報が消失してしまうことがある。
【発明の開示】
【０００５】
この発明は，比較的簡単に画像の著作権管理を行うことができ，かつ著作権情報が消失することを未然に防止することを目的とする。
【０００６】
第１の発明による画像配信サーバは，携帯型端末装置から送信された携帯型端末装置の機種情報および画像データ・リクエストを受信する受信手段，画像データとその画像データの著作権情報とが格納されている画像ファイルが多数記憶されている画像ファイル・データベースの中から，上記受信手段によって受信した画像データ・リクエストに対応する画像データが格納されている画像ファイルを見つける画像ファイル検索手段，上記受信手段によって受信した機種情報に応じたデータ量となるように，上記画像ファイル検索手段によって見つけられた画像ファイルに格納されている画像データのデータ量を調整する画像データ調整手段，上記受信手段によって受信した機種情報にもとづく著作権情報となるように著作権情報を変換する著作権情報変換手段，ならびに上記画像データ量調整手段によってデータ量が調整された画像データおよび上記著作権情報変換手段によって変換された著作権情報を，上記携帯型端末装置に送信する送信手段を備えていることを特徴とする。
【０００７】
第１の発明は，上記画像配信サーバに適した動作制御方法も提供している。すなわち，この方法は，携帯型端末装置から送信された携帯型端末装置の機種情報および画像データ・リクエストを受信し，画像データとその画像データの著作権情報とが格納されている画像ファイルが多数記憶されている画像ファイル・データベースの中から，上記受信手段によって受信した画像データ・リクエストに対応する画像データが格納されている画像ファイルを見つけ，受信した機種情報に応じたデータ量となるように，見つけられた画像ファイルに格納されている画像データのデータ量を調整し，受信した機種情報にもとづく著作権情報となるように著作権情報を変換し，データ量が調整された画像データおよび変換された著作権情報を，上記携帯型端末装置に送信するものである。
【０００８】
第１の発明によると，携帯型端末装置からその機種情報と画像データ・リクエストが送信される。画像データ・リクエストが受信されると，そのリクエストに応じた画像データが格納されている画像ファイルが画像ファイル・データベースから見つけられる。送信先の携帯型端末装置に応じた画像データのデータ量となるように，見つけられた画像ファイルに格納されている画像データのデータ量が調整される。また，受信した機種情報にもとづく著作権情報となるように，見つけられた画像ファイルに格納されている著作権情報が変換される。データ量が調整された画像データおよび変換された著作権情報が携帯型端末装置に送信される。
【０００９】
送信先の携帯型端末装置に適するように著作権情報が変換され，著作権情報が消失することを未然に防止できる。比較的簡単に画像の著作権を管理できる。
【００１０】
上記画像ファイル・データベースは，上記画像配信サーバと通信するように別個に設けられていてもよいし，接続されていてもよい。
【００１１】
第２の発明による画像添付メール中継サーバは，携帯型端末装置から送信され，画像データとその画像データの著作権情報とが格納されている画像ファイルが添付された電子メールを受信する受信手段，上記電子メールの送信先の携帯型端末装置に応じたデータ量となるように，上記画像データのデータ量を調整する画像データ調整手段，上記電子メールの送信先の携帯電話にもとづく著作権情報となるように，上記著作権情報を変換する著作権情報変換手段，および上記画像データ調整手段によってデータ量が調整された画像データと上記著作権情報変換手段によって変換された著作権情報とを格納した画像ファイルが添付された電子メールを，上記送信先の携帯型端末装置に送信する送信手段を備えていることを特徴とする。
【００１２】
第２の発明は，上記画像添付メール中継サーバに適した動作制御方法も提供している。すなわち，この方法は，携帯型端末装置から送信され，画像データとその画像データの著作権情報とが格納されている画像ファイルが添付された電子メールを受信し，上記電子メールの送信先の携帯型端末装置に応じたデータ量となるように，上記画像データのデータ量を調整し，上記電子メールの送信先の携帯電話にもとづく著作権情報となるように，上記著作権情報を変換し，データ量が調整された画像データと上記著作権情報変換手段によって変換された著作権情報とを格納した画像ファイルが添付された電子メールを，上記送信先の携帯型端末装置に送信するものである。
【００１３】
第２の発明によると，画像データとその画像データの著作権情報が格納されている画像ファイルが添付された電子メールが受信される。電子メールの送信先の携帯型端末装置に応じたデータ量となるように，画像データのデータ量が調整される。また，電子メールの送信先の携帯型端末装置に適した著作権情報となるように，著作権情報が変換される。データ量が調整された画像データと変換された著作権情報とが格納された画像ファイルが電子メールに添付され，送信先の携帯型端末装置に送信される。
【００１４】
第２の発明においても比較的簡単に著作権情報を管理でき，画像データのデータ量を調整しても著作権情報が消失してしまうことを未然に防止できる。
【００１５】
上記画像データは動画を表すものでもよい。
【実施例】
【００１６】
図１は，携帯電話向け画像配信システムの概要を示している。
【００１７】
この画像配信システムには，画像配信サーバ２と，この画像配信サーバ２と互いに通信可能なクライアント・コンピュータ１および携帯電話３が含まれている。
【００１８】
この実施例による画像配信システムにおいては，クライアント・コンピュータ１において生成された画像ファイルが画像配信サーバ２にアップロードされ，画像配信サーバ２にストアされている。携帯電話３から画像のリクエストがあると，そのリクエストに応じた画像ファイルが見つけられ，携帯電話３の表示に適した大きさおよびフォーマットに画像データが変換される。変換された画像データが画像配信サーバ２から携帯電話３に送信される。
【００１９】
とくに，この実施例においては，クライアント・コンピュータ１から画像配信サーバ２にアップロードされる画像ファイルには，画像データのほかにその画像データについての著作権情報も含まれている。この著作権情報も，リクエストを送信した携帯電話３の種類に応じたものとなるように変換される。画像データが変換されたことにより，クライアント・コンピュータ１のユーザが規定した著作権情報が消失してしまうことを未然に防止できる。
【００２０】
図２は，画像配信サーバ２の電気的構成を示すブロック図である。
【００２１】
画像配信サーバ２の全体の動作は，ＣＰＵ10によって統括される。
【００２２】
画像配信サーバ２には，上述したように，クライアント・コンピュータ１および携帯電話３と通信するための通信インターフェイス15が含まれている。クライアント・コンピュータ１から送信された画像ファイルが通信インターフェイス15によって画像配信サーバ２に入力し，画像データベース14に格納される。携帯電話３から画像リクエストがあると，そのリクエストに応じた画像ファイルが画像データベース14から読み取られる。
【００２３】
読み取られた画像ファイルに格納されている画像データが，携帯電話３における表示に適したフォーマット変換される。また，その画像ファイルのヘッダに格納されている著作権情報も携帯電話３に適したものに変換される。変換された画像データおよび著作権情報が格納された画像ファイルが，通信インターフェイス15を介して携帯電話３に送信される。
【００２４】
画像配信サーバ２には，キーボード13が含まれており，キーボード13から出力される指令信号は，ＣＰＵ10に入力する。また，画像配信サーバ２には，画像などを表示するための表示装置11およびデータを一時的に記憶するメモリ12も含まれている。
【００２５】
図３は，画像データベース14に蓄積されている画像ファイルのファイル構造（データ構造）の一例である。
【００２６】
画像ファイルには，ヘッダ記録領域と画像データ記録領域とが規定されている。
【００２７】
画像データ記録領域には，画像データが記録されている。ヘッダ記録領域には，画像ファイルの管理情報などのヘッダ情報が記録されている。とくに，この実施例においては，ヘッダ記録領域には，著作権情報も記録される。この著作権情報は，画像データ記録領域に記録されている画像データの再配布を認めるかどうかを示すもので（一部の機種のみに再配布を認めるものでもよい），画像ファイルを生成したクライアント・コンピュータ１のユーザによって入力されたものである（もっとも，クライアント・コンピュータ１のユーザ以外の者によって入力されたものでもよいのはいうまでもない）。画像データベース14に蓄積されている画像ファイルにおけるヘッダ領域に記録されている著作権情報は，再配布を可能とするか不可能とするかという形式の文字列で規定されている。
【００２８】
図４は，画像配信サーバ２のメモリ12に記憶されている携帯電話テーブルの一例である。
【００２９】
携帯電話テーブルは，画像リクエストを送信した携帯電話に表示できる画像サイズおよびフォーマット（画像フォーマット）ならびに著作権情報の形式を携帯電話の機種ごとに記憶しているものである。
【００３０】
たとえば，携帯電話の機種が「Ａ」であれば，その携帯電話に表示できる画像のサイズは横○○画素縦○○画素であり，その画像フォーマットはJPEG（joint photographic experts group）であることが分かる。また，その携帯電話の機種が「Ａ」の場合，著作権情報の形式は，画像データの再配布が不可能な場合には「Copy＝NO」の文字列が，その画像データが格納される画像ファイルのヘッダ記録領域に記録されることが分かる。
【００３１】
同様に，携帯電話の機種が「Ｂ」であれば，その携帯電話に表示できる画像のサイズは横△△画素縦△△画素であり，その画像フォーマットはPNG（Portable Netwark Graphics）であることがわかる。また，その携帯電話の機種が「Ｂ」の場合，著作権情報の形式は，画像データの再配布が不可能な場合には「copyright 」の文字列が，その画像データが格納される画像ファイルのヘッダ記録領域に記録されることが分かる。
【００３２】
このように，画像ファイルを送信すべき携帯電話の機種ごとに，送信すべき画像データによって表される画像のサイズ，画像フォーマットおよび著作権情報が異なっており，それらの情報が画像配信サーバ２に記憶されている。
【００３３】
画像リクエストを送信した携帯電話の機種に応じて，適切な画像サイズおよびフォーマットならびに著作権情報となるように，携帯電話テーブルを参照して，画像ファイルが生成される。
【００３４】
図５は，携帯電話に送信される画像ファイルのファイル構造の一例である。
【００３５】
送信先の携帯電話の機種は，「Ａ」であったとする（図４参照）。
【００３６】
画像ファイルのヘッダ記録領域には，携帯電話の機種「Ａ」に応じた著作権情報として「Copy＝NO」が記録されている。また，画像データ記録領域には，横○○画素縦○○画素のJPEGフォーマットの画像データが記録されている。
【００３７】
画像ファイルには，携帯電話の機種「Ａ」に応じた画像データおよび著作権情報が格納されているので，その画像データによって表される画像を携帯電話「Ａ」に表示でき，かつ携帯電話「Ａ」が著作権情報を認識できるようになる。著作権情報にもとづいて画像データの配布を制限できるようになる。
【００３８】
図６は，画像配信サーバの処理手順を示すフローチャートである。
【００３９】
携帯電話３から画像配信サーバ２に，携帯電話３の機種情報およびリクエストが送信され，画像配信サーバ２において，それらの機種情報およびリクエストが受信される（ステップ21）。すると，携帯電話３の機種が判別される（ステップ22）。また，リクエストに対応した画像ファイルが画像データベース14から読み取られる（ステップ23）。
【００４０】
画像データベース14から読み取られた画像ファイルに格納されている画像データが，携帯電話の機種に応じて，適正なサイズおよびフォーマットをもち，かつその画像ファイルに格納されている著作権情報が携帯電話の機種に応じた形式となるように変換される（ステップ24）。この変換処理について詳しくは後述する（図７）。変換により，携帯電話３の表示に適した画像データおよび携帯電話３が認識できる著作権情報が得られる。得られた画像データおよび著作権情報が格納された画像ファイルが画像配信サーバ２から携帯電話３に送信される（ステップ25）。携帯電話は，著作権情報を認識できるので，誤って画像データが再配布されてしまうことを未然に防止できる。画像データの再配布を管理できるようになる。
【００４１】
図７は，画像フォーマット，著作権情報変換の処理手順（図６ステップ24の処理手順）を示すフローチャートである。
【００４２】
上述のようにして，画像データベース14からリクエストに応じた画像ファイルが読み取られると，その画像ファイルに格納されている画像データと著作権情報とが抽出（分離）される（ステップ31）。著作権情報については，リクエストをした携帯電話が認識できるように，その形式（文字列）が変換される（ステップ32）。また，画像データについては，リクエストをした携帯電話において表示できるように，画像サイズおよびフォーマットが変換される（ステップ33）。
【００４３】
変換された著作権情報が画像ファイルのヘッダ記録領域に格納され，変換された画像データが画像ファイルの画像データ記録領域に記録される（ステップ34）。このようにして，リクエストをした携帯電話が認識できる著作権情報およびその携帯電話が表示できる画像データがそれぞれ格納された画像ファイルが生成される。生成された画像ファイルが上述のようにして，画像配信サーバ２から携帯電話３に送信されるようになる。
【００４４】
図８および図９は，他の実施例を示すものである。
【００４５】
図８は，画像配信システムの概要を示している。
【００４６】
上述した画像配信システムにおいては，クライアント・コンピュータ１から送信された画像ファイルは画像配信サーバ２の画像データベース14に格納されているが，この実施例による画像配信システムにおいては，画像配信サーバ45とは異なる画像蓄積サーバ44に，クライアント・コンピュータ１から送信された画像ファイルが格納されている。携帯電話43から送信されたリクエストが画像配信サーバ45を介して画像蓄積サーバ44に与えられ，リクエストに応じた画像ファイルが見つけられる。見つけられた画像ファイルについて，上述の画像フォーマット変換処理および著作権情報の変換処理が行われる。画像フォーマット変換された画像データおよび変換された著作権情報が格納されている画像ファイルが画像配信サーバ45から携帯電話43に送信される。
【００４７】
図９は，画像配信サーバ45と画像蓄積サーバ44との処理手順を示すフローチャートである。
【００４８】
携帯電話43から画像配信サーバ45に機種情報およびリクエストが送信され，画像配信サーバ45において，それらの機種情報およびリクエストが受信される（ステップ71）。上述したのと同様に，携帯電話43の機種が判別され（ステップ72），かつ受信したリクエストが画像配信サーバ45から画像蓄積サーバ44に送信される（ステップ73）。
【００４９】
画像配信サーバ45から送信されたリクエストが画像蓄積サーバ44において受信されると，そのリクエストに応じた画像ファイルが画像蓄積サーバ44において見つけられる（ステップ78）。見つけられた画像ファイルが画像蓄積サーバ44から画像配信サーバ45に送信される（ステップ79）。
【００５０】
画像蓄積サーバ44から送信された画像ファイルが画像配信サーバ45において受信されると（ステップ74），上述したように（図７参照），リクエストを送信した携帯電話43の機種に応じて画像データの画像フォーマット変換処理および著作権情報の変換処理が行われる（ステップ75）。変換によりそれぞれ得られた画像データおよび著作権情報が格納されている画像ファイルが画像配信サーバ45から携帯電話43に送信されるようになる（ステップ76）。
【００５１】
図10から図12は，さらに他の実施例を示すものである。
【００５２】
図10は，電子メール配信システムの概要を示すブロック図である。
【００５３】
携帯電話などの画像撮影装置80から電子メール中継サーバ81に画像ファイルが添付された画像添付メールが送信される。画像添付メールの電子メール本体に含まれる送信先の画像再生端末装置の表示に適するように画像データについて画像フォーマット変換が行われ，画像データが生成される。また，送信先の画像再生端末装置が認識できるように変換された著作権情報が生成される。生成された画像データおよび著作権情報が格納された画像ファイルが添付された電子メールまたはその画像ファイルと電子メールとが別々に画像再生端末装置82または83に送信される。
【００５４】
画像添付メールの電子メール本体に含まれる送信先が，画像添付メールを受信できる画像再生端末装置82であれば，その画像再生端末装置82での表示に適した縮小画像データが格納されている画像ファイルが添付された電子メールが電子メール中継サーバ81からその画像再生端末装置82に送信される。画像添付メールを受信できない画像端末再生装置83であれば，まず電子メール本体が電子メール中継サーバ81から画像再生端末装置83に送信される。画像再生端末装置83からの画像ファイルのリクエストがあれば，そのリクエストに応じて，画像ファイルが電子メール中継サーバ81から画像再生端末装置83に送信される。
【００５５】
図18は，電子メール中継サーバ81の処理手順を示すフローチャートである。
【００５６】
画像撮影端末装置80から画像添付メールが送信され，電子メール中継サーバ81において受信される（ステップ91）。受信した画像添付メールから添付されている画像ファイルと電子メール本体とが分離される（ステップ92）。
【００５７】
分離された電子メール本体には，送信先が含まれているから，その送信先およびその送信先の機種が判別される（ステップ93）。また，送信先の機種に応じて適切な大きさの画像およびフォーマットとなるように，上述したように（図５参照），分離された画像ファイルに格納されている画像データについて画像フォーマット変換が行われる（ステップ94）。また，送信先の機種が認識できるように，著作権情報が変換される。
【００５８】
送信先が画像再生端末装置82のように，画像添付メールを受信できるものであれば（ステップ95でＹＥＳ），画像フォーマット変換が行われた縮小画像データが格納されている画像ファイルが，分離された電子メール本体に添付される（ステップ96）。画像ファイルが添付された電子メールが画像再生端末装置82に送信されることとなる（ステップ97）。
【００５９】
送信先が画像再生端末装置83のように，画像添付メールを受信できないものであれば（ステップ95でＮＯ），画像データの蓄積先のＵＲＬが電子メール本体に書き込まれる（ステップ98）。ＵＲＬが書き込まれた電子メール本体が電子メール中継サーバ81から画像再生端末装置83に送信される（ステップ99）。
【００６０】
画像再生端末装置83において，ＵＲＬが書き込まれた電子メール本体が受信され，その電子メールを読んだユーザが書き込まれているＵＲＬにアクセスすると，画像再生端末装置83から電子メール中継サーバ81に画像ファイルのリクエストが送信される。
【００６１】
画像再生端末装置83から送信されたリクエストが電子メール中継サーバ81に送信され，電子メール中継サーバ81において受信されると（ステップ100 でＹＥＳ），リクエストに応じた画像ファイルが電子メール中継サーバ81の画像データベース（上述したようにフォーマット変換された画像データが格納されている画像ファイルがＵＲＬに対応して記憶されている）から読み出される（ステップ101 ）。もちろん，画像データベースは，電子メール中継サーバ81とは別に画像蓄積サーバとして設けられているものでもよいのはいうまでもない。画像データベースから読み取られた画像ファイルがリクエストを送信した画像再生端末装置83に送信される（ステップ102 ）。
【００６２】
画像撮影装置80から送信された電子メールに添付されている画像ファイルに格納されている画像データは，JPEGなどの静止画の圧縮画像データに限らず，MPEGなどの動画の圧縮画像データであってもよい。動画の画像データが格納されている画像ファイルが添付されている場合も上述したのと同様に，縮小処理およびフォーマット変換処理を行い，送信先の画像再生端末装置に応じて，著作権情報および動画データが格納されている画像ファイルが添付されている電子メールの送信，あるいはリクエストに応じて著作権情報および動画データが格納されている画像ファイルの送信が行われるようにできる。
【００６３】
上述した実施例においては，ソフトウエアで構成するようにしているがハードウエアにり実現するようにしてもよいのはいうまでもない。
【図面の簡単な説明】
【００６４】
【図１】画像配信システムの概要である。
【図２】画像配信サーバの電気的構成を示すブロック図である。
【図３】画像配信サーバに蓄積されている画像ファイルのファイル構造である。
【図４】携帯電話テーブルの一例である。
【図５】送信される画像ファイルのファイル構造である。
【図６】画像配信サーバの処理手順を示すフローチャートである。
【図７】画像フォーマット，著作権情報変換の処理手順を示すフローチャートである。
【図８】画像配信システムの概要である。
【図９】画像配信サーバの処理手順を示すフローチャートである。
【図１０】電子メール配信システムの概要を示している。
【図１１】電子メール中継サーバの処理手順を示すフローチャートである。
【図１２】電子メール中継サーバの処理手順を示すフローチャートである。
【符号の説明】
【００６５】
１  クライアント・コンピュータ
２，45  画像配信サーバ
３  携帯電話
10  ＣＰＵ
12  メモリ
14  画像データベース
15  通信インターフェイス
44  画像蓄積サーバ
80  画像撮影端末装置
81  電子メール中継サーバ
82，83  画像再生端末装置
【図１】
2006067146.tif 000003
【図２】
2006067146.tif 000004
【図３】
2006067146.tif 000005
【図４】
2006067146.tif 000006
【図５】
2006067146.tif 000007
【図６】
2006067146.tif 000008
【図７】
2006067146.tif 000009
【図８】
2006067146.tif 000010
【図９】
2006067146.tif 000011
【図１０】
2006067146.tif 000012
【図１１】
2006067146.tif 000013
【図１２】
2006067146.tif 000014